(57)【要約】【課題】単独の床パンとして広くしやすい床パンを提供する。【解決手段】床パン１は、互いに隣接して配置される第１床パン分割体２及び第２床パン分割体３を備える。第１床パン分割体２は、端縁部２４のうち第２床パン分割体３に隣接する第１隣接部２４１に、第２床パン分割体３と突き合わされる第１突き合わせ部を有する。第２床パン分割体３は、端縁部３２のうち第１床パン分割体２に隣接する第２隣接部３２１に、第１突き合わせ部と突き合わされる第２突き合わせ部を有する。第１突き合わせ部と第２突き合わせ部との間に、第１突き合わせ部と第２突き合わせ部とに互いに離間させる方向に力を加えるくさび部材８を有する。【選択図】図１
2019131984.tif 000002
【特許請求の範囲】
【請求項１】
互いに隣接して配置される第１床パン分割体及び第２床パン分割体を備え、
前記第１床パン分割体は、端縁部のうち前記第２床パン分割体に隣接する第１隣接部に、前記第２床パン分割体と突き合わされる第１突き合わせ部を有し、
前記第２床パン分割体は、端縁部のうち前記第１床パン分割体に隣接する第２隣接部に、前記第１突き合わせ部と突き合わされる第２突き合わせ部を有し、
前記第１突き合わせ部と前記第２突き合わせ部との間に、前記第１突き合わせ部と前記第２突き合わせ部とに互いに離間させる方向に力を加えるくさび部材を有する
ことを特徴とする床パン。
【請求項２】
前記第１床パン分割体は、前記第１隣接部に、下方に向けて突出する突出部を有し、
前記第２床パン分割体は、前記第２隣接部に、前記突出部が前記第２床パン分割体側へ移動するのを規制する規制部を有する
ことを特徴とする請求項１に記載の床パン。
【請求項３】
前記第１床パン分割体は、前記第１隣接部に、平面視において前記第２床パン分割体に重なる第１重なり部を有し、
前記第２床パン分割体は、前記第２隣接部に、下方に向けて突出する下がり部と、前記下がり部から前記第１重なり部の下側に向けて突出し、平面視において前記第１重なり部に重なる第２重なり部を有し、
前記第１重なり部より下方に向けて前記突出部が突出し、前記第２重なり部より上方に向けて前記規制部が突出する
ことを特徴とする請求項２に記載の床パン。
【請求項４】
前記第１重なり部と前記第２重なり部との間に水密部材を有する
ことを特徴とする請求項３に記載の床パン。
【請求項５】
前記第１床パン分割体の上面と前記第２床パン分割体の上面との間の間隙を埋める目地材を有し、
前記目地材が前記くさび部材を兼ねる
ことを特徴とする請求項１〜４のいずれか一項に記載の床パン。
【請求項６】
前記第１床パン分割体及び前記第２床パン分割体は、前記端縁部のうち前記第１隣接部及び前記第２隣接部以外の部分に、壁パネルを支持する壁パネル支持部を有する
ことを特徴とする請求項１〜５のいずれか一項に記載の床パン。
【請求項７】
前記第１床パン分割体と前記第２床パン分割体の少なくとも一方は、前記端縁部のうち前記第１隣接部及び前記第２隣接部以外の部分に、ドアが載置されるドア載置部を有する
ことを特徴とする請求項１〜６のいずれか一項に記載の床パン。
【請求項８】
前記ドア載置部を構成する第１部分は、前記第１床パン分割体の前記端縁部のうち前記第１隣接部に隣接する部分に位置し、
前記ドア載置部を構成する第２部分は、前記第２床パン分割体の前記端縁部のうち前記第２隣接部に隣接する部分に位置し、
前記第１部分と前記第２部分とが連続して前記ドア載置部を構成する
ことを特徴とする請求項７に記載の床パン。
【発明の詳細な説明】
【技術分野】
【０００１】
本発明は、床パンに関し、更に詳しくは、ユニットルームに用いられる床パンに関する。
【背景技術】
【０００２】
従来、浴室設備等の複数のユニットが隣接して配置され、隣接するユニット間に、利用者往来用の連通口が設けられるユニットシステムが知られている（例えば特許文献１参照）。各ユニットは、床パンと、床パンの周囲に起立するように設けられる壁パネルと、壁パネル上に載置される天井パネルと、を備える。隣接するユニットの互いに対向する壁パネルにそれぞれ開口部が形成され、開口部間に枠体が掛け渡されて、連通口が形成される。
【０００３】
枠体のうちの下枠部は、隣接する独立した床パン同士を連結し、枠体のうちの縦枠部は、隣接する独立した壁パネル同士を連結している。
【０００４】
このようなユニットシステムは、独立したユニット同士を連結することで、複数のユニットが利用可能となり、全体で広く利用することができる。
【先行技術文献】
【特許文献】
【０００５】
【特許文献１】特開２０１４−８０７５９号公報
【発明の概要】
【発明が解決しようとする課題】
【０００６】
しかしながら、上述した従来例におけるユニットシステムは、ユニット同士を連結する必要があり、単独のユニット及び床パンとして広くしにくいものであった。
【０００７】
本発明は上記従来の問題点に鑑みて発明したものであって、その目的とするところは、単独の床パンとして広くしやすい床パンを提供することにある。
【課題を解決するための手段】
【０００８】
上記課題を解決するために、本開示に係る一形態の床パンは、互いに隣接して配置される第１床パン分割体及び第２床パン分割体を備える。前記第１床パン分割体は、端縁部のうち前記第２床パン分割体に隣接する第１隣接部に、前記第２床パン分割体と突き合わされる第１突き合わせ部を有する。前記第２床パン分割体は、端縁部のうち前記第１床パン分割体に隣接する第２隣接部に、前記第１突き合わせ部と突き合わされる第２突き合わせ部を有する。
【０００９】
前記第１突き合わせ部と前記第２突き合わせ部との間に、前記第１突き合わせ部と前記第２突き合わせ部とに互いに離間させる方向に力を加えるくさび部材を有する。
【発明の効果】
【００１０】
本開示に係る一形態の床パンにあっては、第１床パン分割体と第２床パン分割体とが組み合わされて単独の床パンが構成されるため、単独の床パンとして広くしやすい。
【図面の簡単な説明】
【００１１】
【図１】図１は、一実施形態に係る床パンの要部断面図である。
【図２】図２Ａは、同上の床パンを構成する第１床パン分割体の平面図である。図２Ｂは、図２ＡのＡ−Ａ線断面図である。
【図３】図３Ａは、図２ＡのＢ−Ｂ線断面図である。図３Ｂは、図２ＡのＣ−Ｃ線断面図である。
【図４】図４Ａは、同上の床パンを構成する第２床パン分割体の平面図である。図４Ｂは、図４ＡのＥ−Ｅ線断面図である。図４Ｃは、図４ＡのＦ−Ｆ線断面図である。
【図５】図５は、図２ＡのＤ−Ｄ線断面図である。
【図６】図６は、同上の床パンの施工手順を説明する、第１床パン分割体及び第２床パン分割体の切断した状態の要部斜視図である。
【図７】図７は、同上の床パンの施工手順を説明する、第１床パン分割体及び第２床パン分割体の切断した状態の要部斜視図である。
【図８】図８は、同上の床パンの施工手順を説明する、第１床パン分割体及び第２床パン分割体の切断した状態の要部斜視図である。
【図９】図９は、浴槽を設置した同上の床パンの第１バリエーションの概略平面図である。
【図１０】図１０は、同上の床パンの第２バリエーションの概略平面図である。
【図１１】図１１は、同上の床パンの第３バリエーションの概略平面図である。
【図１２】図１２は、同上の床パンの第４バリエーションの概略平面図である。
【発明を実施するための形態】
【００１２】
本開示は、床パンに関し、更に詳しくは、第１床パン分割体及び第２床パン分割体が組み合わされて構成される床パンに関する。
【００１３】
以下、本開示に係る床パンの一実施形態について、図１〜図８に基いて説明する。
【００１４】
床パンは、ユニットルームを構成する。ユニットルームは、床パン、壁パネル及び天井パネルを備える。
【００１５】
床パン１は、図１に示すように、互いに隣接して配置される第１床パン分割体２及び第２床パン分割体３を備える。
【００１６】
第１床パン分割体２は、図２Ａに示すように、平面視矩形状をしたものである。第１床パン分割体２は、図２Ａ，図２Ｂ，図３Ａ及び図３Ｂに示すように、第１床パン分割体本体２０と、第１床パン分割体本体２０を支持する第１フレーム部２１と、を有する。第１床パン分割体本体２０は、平面視矩形状をしたもので、第１床パン分割体２の平面視形状を決める。第１床パン分割体本体２０は、繊維強化プラスチック（Fiber Reinforced Plastics）により形成される。
【００１７】
第１床パン分割体本体２０には、図２Ａ，図３Ａ及び図３Ｂに示すように、浴槽設置部２２が形成される。浴槽設置部２２は、第１床パン分割体本体２０の一部である、平面視矩形状をした領域である。浴槽設置部２２の周縁部に堰部２２１が形成されており、堰部２２１に囲まれた部分が浴槽設置部２２となる。
【００１８】
第１床パン分割体本体２０の浴槽設置部２２及び堰部２２１以外の部分が、洗い場部２３となる。浴槽設置部２２の上面は、洗い場部２３の上面よりも低い位置にある。
【００１９】
また、浴槽設置部２２には、図２Ａに示すように、上下に貫通する排水口２２２が形成されている。また、洗い場部２３には、上下に貫通する排水口２３１が形成されている。
【００２０】
第１フレーム部２１は、図１及び図２Ａに示すように、短フレーム２１１と、長フレーム２１２と、を有する。短フレーム２１１は、中空の鋼材により構成される。短フレーム２１１は、第１床パン分割体本体２０の短手方向に沿って第１床パン分割体本体２０の下面にビス等により固定される。なお、短フレーム２１１の第１床パン分割体本体２０への固定は、ビス等による固定に限定されない。
【００２１】
長フレーム２１２は、中空の鋼材により構成される。長フレーム２１２は、第１床パン分割体本体２０の長手方向に沿って短フレーム２１１の下面にビス等により固定される。なお、長フレーム２１２の短フレーム２１１への固定は、ビス等による固定に限定されない。
【００２２】
また、第１フレーム部２１は、図２Ｂに示すように、床面に載置される脚部２１３を有する。脚部２１３は、いわゆるアジャスタボルトにより構成される。短フレーム２１１及び長フレーム２１２は、脚部２１３を介して床面に載置され、床面の上方に位置する。
【００２３】
第１床パン分割体２は、第１隣接部２４１の近傍部分が、平面視において第２床パン分割体３に重なる第１重なり部２６となる。
【００２４】
また、第１床パン分割体２は、第１隣接部２４１に、下方に向けて突出する突出部２７を有する。突出部２７は、下がり片２７１と、スペーサ材２７２と、により構成される。突出部２７が、第２床パン分割体３と突き合わされる第１突き合わせ部となる。
【００２５】
第２床パン分割体３は、図４Ａに示すように、平面視矩形状をしたものである。第２床パン分割体３は、図４Ａ，図４Ｂ及び図４Ｃに示すように、第２床パン分割体本体３０と、第２床パン分割体本体３０を支持する第２フレーム部３１と、を有する。第２床パン分割体本体３０は、平面視矩形状をしたもので、第２床パン分割体３の平面視形状を決める。第２床パン分割体本体３０の長手方向の長さは、第１床パン分割体本体２０の長手方向の長さ（第１隣接部２４１の長さ）と同じである。第２床パン分割体本体３０の短手方向の長さは、第１床パン分割体本体２０の短手方向の長さよりも若干長い。第２床パン分割体本体３０も、第１床パン分割体本体２０と同様に繊維強化プラスチックにより形成される。
【００２６】
第２床パン分割体本体３０には、浴槽設置部は形成されず、上面のほぼ全体が洗い場部３００となる。
【００２７】
第２フレーム部３１は、図１及び図４Ａに示すように、短フレーム３１１と、長フレーム３１２と、を有する。短フレーム３１１は、第２床パン分割体本体３０の短手方向に沿って第２床パン分割体本体３０の下面に固定される。長フレーム３１２は、第２床パン分割体本体３０の長手方向に沿って短フレーム３１１の下面に固定される。なお、短フレーム３１１及び長フレーム３１２は、第１床パン分割体本体２０の短フレーム２１１及び長フレーム２１２と同様の部材からなる。短フレーム３１１及び長フレーム３１２の第２床パン分割体本体３０への固定も、短フレーム２１１及び長フレーム２１２の場合と同様に行われる。また、第２フレーム部３１は、図４Ｂに示すように、第１床パン分割体本体２０の脚部２１３と同様の脚部３１３を有する。
【００２８】
第２床パン分割体３は、第２隣接部３２１において、第２床パン分割体本体３０の上面を構成する部分より下方に向けて突出する下がり部３４を有する。下がり部３４が、第１床パン分割体２と突き合わされる第２突き合わせ部となる。
【００２９】
第２床パン分割体３は、下がり部３４の下端から第１床パン分割体本体２０側に向けて突出し、平面視において第１重なり部２６に重なる第２重なり部３５を有する。本実施形態では、第１重なり部２６は、第２重なり部３５の上側に位置している。第２重なり部３５は、第１床パン分割体本体２０側の端部に起立片３５１を有する。第２重なり部３５は、中間部に規制片３６を有する。第２重なり部３５の下がり部３４と規制片３６の間の上面には、水密部材５が設けられる。水密部材５は、本実施形態ではパッキンにより構成される。第１重なり部２６と第２重なり部３５との間に水密部材５が介在することにより、第１隣接部２４１及び第２隣接部３２１における水密性が確保しやすくなる。
【００３０】
第１床パン分割体２は、図２Ａに示す平面視における端縁部２４のうち第１隣接部２４１以外の部分２４２に、壁パネルを支持する壁パネル支持部６を有する。図５に示すように、端縁部２４のうち第１隣接部２４１以外の部分２４２において、洗い場部２３の上面から上方に向けて内縦片６１が突出し、内縦片６１の上端部から外方に向けて横片６２が突出し、横片６２の外端部から上方に向けて外縦片６３が突出している。横片６２に壁パネルが載置される。
【００３１】
第２床パン分割体３も同様に、図４Ａに示す平面視における端縁部３２のうち第２隣接部３２１以外の部分３２２に、壁パネル支持部６を有する。
【００３２】
第１床パン分割体２は、図２Ａに示す平面視における端縁部２４のうち第１隣接部２４１以外の部分２４２に、ドアが載置されるドア載置部７を有する。図５に示すように、端縁部２４のうち第１隣接部２４１以外の部分２４２において、洗い場部２３の上面から下方に向けて下がり片７１が突出し、下がり片７１の下端部から外方に向けて受け片７２が突出しており、受け片７２にドア枠を介してドアが載置される。
【００３３】
次に、第１床パン分割体２と第２床パン分割体３とを組み合わせて、床パン１を構成する手順について説明する。
【００３４】
図６に示すように、床面の床パンが設置される領域のうち、第２床パン分割体３が位置する領域に、第２床パン分割体３が載置される。
【００３５】
次に、第２床パン分割体３の第２重なり部３５の上方に第１重なり部２６が位置するように、第１床パン分割体２が床面の上方に配置される。
【００３６】
次に、第１床パン分割体２が下方に下げられて、床面の第１床パン分割体２が位置する領域に、第１床パン分割体２が載置される。
【００３７】
次に、図７に示すように、第１突き合わせ部（第１隣接部２４１）と第２突き合わせ部（第２隣接部３２１）との間に、くさび部材８を入れ込む。くさび部材８は、第１突き合わせ部と第２突き合わせ部とに互いに離間させる方向に力を加える。本実施形態では、くさび部材８は、樹脂で構成されている。
【００３８】
くさび部材８が第１突き合わせ部と第２突き合わせ部との間に入れ込まれた状態について説明する。図１に示すように、第１床パン分割体２の突出部２７は、規制片３６に当たっており、これ以上規制片３６側に移動するのが規制されている。このとき、突出部２７と下がり部３４との間に入れ込まれると、突出部２７及びくさび部材８が、下がり部３４と規制片３６との間で突っ張る状態となる。この状態では、規制片３６と突出部２７との間、突出部２７とくさび部材８との間、及び、くさび部材８と下がり部３４との間で、大きな摩擦力が働く。この摩擦力により、突出部２７が上方に移動しにくくなる。
【００３９】
これにより、第１床パン分割体２と第２床パン分割体３とを連結することなく、突出部２７が上方に移動しにくい状態で、第１床パン分割体２と第２床パン分割体３とを組み合わせて床パン１を構成することができる。
【００４０】
また、くさび部材８は、第１床パン分割体２の上面と第２床パン分割体３の上面との間の間隙を埋める目地材を兼用する。
【００４１】
また、本実施形態では、図８に示すように、ドア載置部７が、第１床パン分割体２に形成される第１部分７Ａと、第２床パン分割体３に形成される第２部分７Ｂとに分断されている。第１部分７Ａは、図２Ａに示すように、第１床パン分割体２の端縁部２４のうち第１隣接部２４１に隣接する部分に位置する。第２部分７Ｂは、図４Ａに示すように、第２床パン分割体３の端縁部３２のうち第２隣接部３２１に隣接する部分に位置する。
【００４２】
第１部分７Ａと第２部分７Ｂは、図８に示すように、第１床パン分割体２と第２床パン分割体３とが組み合わされた状態で、一直線状に連続し、ドア載置部７を構成する。ドア載置部７の部分においても、図１に示すのと同様に、第１床パン分割体２が第１重なり部２６を有し、第２床パン分割体３が第２重なり部３５を有し、第１重なり部２６と第２重なり部３５とが重なっている。このようにすることで、第１床パン分割体２と第２床パン分割体３の境界を跨いでドア載置部７を設けることが可能となる。
【００４３】
ドア載置部７の下側には、図５に示すように、排水管９１が配置される。また、ドア載置部７の一部には、トラップ部９３が設けられる。トラップ部９３と排水管９１との間には導水管９２が接続される。図８に示すように、一直線状となったドア載置部７に、ドア枠の下部を構成するレール部材９４が載置される。レール部材９４には、トラップ部９３に対応する位置に切欠９４１が形成されており、トラップ部９３への集水がレール部材９４により妨げられない。
【００４４】
上述した手順により、図９に示すように、第１床パン分割体２と第２床パン分割体３とが組み合わされて単独の床パン１が構成される。図１０中の符号９５は、床パン１の浴槽設置部２２に設置された浴槽を示す。これにより、複数のユニットルームを連結しなくても、単独のユニット及び床パン１として広くしやすくなる。すなわち、従来例のようなユニットシステムにおいて、床パンを広くしようとすると、大きな金型で大きな床パンを形成する必要があり、床パンの形成及び設置作業に手間のかかるものであった。これに対して、本実施形態における床パン１は、大きな金型で大きな床パンを形成する必要がなく、床パンの形成及び設置作業に手間がかからず、単独の床パン１として広くしやすい。
【００４５】
なお、第１床パン分割体２又は第２床パン分割体３は、単独ではユニットルームの床パン１を構成しない。すなわち、第１床パン分割体２は第１隣接部２４１に第１連結部２５を有しているが、第１隣接部２４１には壁パネル支持部６及びドア載置部７を有していない。このため、第１床パン分割体２と第２床パン分割体３とが組み合わせられなければ、第１隣接部２４１には壁パネル支持部６及びドア載置部７が位置せず、ユニットルームが構成されない。第２床パン分割体３についても同様である。
【００４６】
次に、第１床パン分割体２と第２床パン分割体３とが組み合わされて床パン１が構成されることにより得られる、様々なバリエーションについて説明する。
【００４７】
図１０に、床パン１の第２バリエーションを示す。なお、図９に示される床パン１を便宜上、第１バリエーションとする。
【００４８】
この第２バリエーションにおいては、図４Ａ及び図９に示す第１バリエーションの第２床パン分割体３の短手方向の長さを短くした第２床パン分割体３Ａが用いられる。第２床パン分割体３Ａは、短手方向の長さが異なる以外、基本的な構成については第１バリエーションの第２床パン分割体３と同様である。
【００４９】
また、第１床パン分割体２については、図２Ａ及び図９に示す第１バリエーションの第１床パン分割体２と同一の第１床パン分割体２が用いられる。
【００５０】
このように、第２バリエーションにおいては、第１床パン分割体２と第２床パン分割体３とに跨る方向の長さ（第１床パン分割体２と第２床パン分割体３それぞれの短手方向の長さ）が、第１バリエーションと比べて短く形成される。壁パネル等も、第２床パン分割体３Ａに対応した大きさのものが用意される。これにより、第１バリエーションにおけるユニットルームよりもコンパクトな第２バリエーションのユニットルームが構成可能となる。
【００５１】
第２バリエーションにおいては、浴槽９５は第１バリエーションにおける浴槽９５と同じであるが、洗い場部２３，３００が、第１バリエーションにおける洗い場部２３，３００よりも狭い。
【００５２】
図１１に、床パン１の第３バリエーションを示す。この第３バリエーションにおいては、第１及び第２バリエーションの第１床パン分割体２の短手方向の長さを短くした第１床パン分割体２Ａが用いられる。第１床パン分割体２Ａは、浴槽設置部２２の短手方向の長さも短くなり、設置される浴槽９５の短手方向の長さも短くなる。第１床パン分割体２Ａは、短手方向の長さが短くなる以外、基本的な構成については第１バリエーションの第１床パン分割体２と同様である。
【００５３】
また、第２床パン分割体３については、第２バリエーションの第２床パン分割体３Ａと同一の第２床パン分割体３Ａが用いられる。
【００５４】
このように、第３バリエーションにおいては、第１床パン分割体２と第２床パン分割体３とに跨る方向の長さが、第２バリエーションと比べても更に短く形成される。壁パネル等も、第１床パン分割体２Ａに対応した大きさのものが用意される。これにより、第２バリエーションにおけるユニットルームよりも更にコンパクトな第３バリエーションのユニットルームが構成可能となる。
【００５５】
なお、第３バリエーションにおいて用いられる第１床パン分割体２の短手方向の長さを、第１及び第２バリエーションと比べて長くしてもよい。この場合、浴槽設置部２２の短手方向の長さ及び設置される浴槽９５の短手方向の長さも第１及び第２バリエーションと比べて長くする。
【００５６】
図１２に、床パン１の第４バリエーションを示す。この第４バリエーションにおいては、第１バリエーションの第１床パン分割体２が二つと、第１バリエーションの第２床パン分割体３を若干加工した第２床パン分割体３Ｂ一つと、が組み合わされる。
【００５７】
第１バリエーションの第２床パン分割体３は、短手方向の一方の端縁部３２のみが、第２隣接部３２１となり、第１床パン分割体２の第１隣接部２４１と突き合わされるものであった。
【００５８】
これに対して、第２床パン分割体３Ｂは、短手方向の両方の端縁部３２が、第２隣接部３２１となり、第１床パン分割体２の第１隣接部２４１と突き合わされる。すなわち、第２床パン分割体３Ｂが中央に位置し、その両側の第１隣接部２４１にそれぞれ、第１床パン分割体２が突き合わされる。
【００５９】
この第４バリエーションにおいては、浴槽９５が二つ設置される。このため、一人の介護者が、一つの浴槽９５につき一人、計二人の被介護者を入浴させることが可能となる。介護者は、一方の被介護者を一方の浴槽９５に入浴させ、他方の被介護者を他方の浴槽９５側の洗い場部２３，３００において洗う等、自由度の高い使い方が可能となる。また、適宜、第２床パン分割体３Ｂの洗い場部３００の短手方向の中間部に、カーテン又はパーテション等の仕切りが設けられてもよい。
【００６０】
上述したように、本開示における床パン１にあっては、全体の広さ、浴槽９５の有無、洗い場部２３，３００の広さ等について、様々なバリエーションを達成し得る。
【００６１】
次に、上記実施形態の変形例について説明する。
【００６２】
上記実施形態では、床パン１は、第１床パン分割体２及び第２床パン分割体３の二つもしくは三つの床パン分割体を備えるが、四つ以上の床パン分割体を備えてもよい。
【００６３】
第１床パン分割体本体２０及び第２床パン分割体本体３０は、ＦＲＰでない樹脂、木質材又は金属等により形成されてもよく、材質は特に限定されない。また、第１床パン分割体本体２０及び第２床パン分割体本体３０の平面視における形状及び大きさ、第１床パン分割体本体２０の厚みは、特に限定されない。
【００６４】
第１床パン分割体本体２０における浴槽設置部２２の位置、浴槽設置部２２の大きさ及び形状は限定されない。
【００６５】
浴槽設置部２２の上面は、洗い場部２３の上面より低くなくてもよく、特に限定されない。また、第１床パン分割体本体２０に浴槽設置部２２が形成されなくてもよい。また、第２床パン分割体本体３０に浴槽設置部が形成されてもよい。
【００６６】
第１床パン分割体本体２０に、排水口（排水口２２２，排水口２３１）が設けられなくてもよい。また、第２床パン分割体本体３０に排水口が形成されてもよい。
【００６７】
短フレーム２１１，３１１及び長フレーム２１２，３１２は、中空に限定されず、中実の部材により構成されてもよい。また、短フレーム２１１，３１１及び長フレーム２１２，３１２の材質は、鋼材に限定されず、他の金属又は金属以外であってもよい。また、長フレームが第１床パン分割体本体２０及び第２床パン分割体本体３０の下面に固定され、長フレームの下面に短フレームが固定されてもよい。
【００６８】
脚部２１３，３１３は、アジャスタボルトにより構成されなくてもよく、また、床パン１が脚部２１３，３１３を有しなくてもよい。
【００６９】
上記実施形態では、第１重なり部２６が第２重なり部３５の上側に位置しているが、第１重なり部２６と第２重なり部３５の上下関係は限定されない。
【００７０】
水密部材５は、特に設けられなくてもよい。
【００７１】
壁パネル支持部６は、内縦片６１、横片６２及び外縦片６３を有する上記実施形態におけるような態様に限定されない。
【００７２】
ドア載置部７は、下がり片７１及び受け片７２を有する上記実施形態におけるような態様に限定されない。
【００７３】
以上、述べた実施形態およびその変形例から明らかなように、第１の態様の床パン１は、互いに隣接して配置される第１床パン分割体２及び第２床パン分割体３を備える。第１床パン分割体２は、端縁部２４のうち第２床パン分割体３に隣接する第１隣接部２４１に、第２床パン分割体３と突き合わされる第１突き合わせ部を有する。第２床パン分割体３は、端縁部３２のうち第１床パン分割体２に隣接する第２隣接部３２１に、第１突き合わせ部と突き合わされる第２突き合わせ部を有する。第１突き合わせ部と第２突き合わせ部との間に、第１突き合わせ部と第２突き合わせ部とに互いに離間させる方向に力を加えるくさび部材８を有する。
【００７４】
第１の態様によれば、複数のユニットルームを連結しなくても、単独のユニット及び床パン１として広くしやすくなる。また、第１床パン分割体２と第２床パン分割体３とを連結しなくてすむ。
【００７５】
第２の態様では、第１の態様との組み合わせにより実現される。第２の態様では、第１床パン分割体２は、第１隣接部２４１に、下方に向けて突出する突出部を有する。第２床パン分割体３は、第２隣接部３２１に、突出部が第２床パン分割体３側へ移動するのを規制する規制部を有する。
【００７６】
第２の態様によれば、簡単な構成により、くさび部材８を有効に機能させることができる。
【００７７】
第３の態様では、第２の態様との組み合わせにより実現される。第３の態様では、第１床パン分割体２は、第１隣接部２４１に、平面視において第２床パン分割体３に重なる第１重なり部２６を有する。第２床パン分割体３は、第２隣接部３２１に、下方に向けて突出する下がり部と、下がり部から第１重なり部２６の下側に向けて突出し、平面視において第１重なり部２６に重なる第２重なり部３５を有する。第１重なり部２６より下方に向けて突出部が突出し、第２重なり部３５より上方に向けて規制部が突出する。
【００７８】
第３の態様によれば、簡単な構成により、くさび部材８を有効に機能させることができる。
【００７９】
第４の態様では、第３の態様との組み合わせにより実現される。第４の態様では、第１床パン分割体２は、第１隣接部２４１に、平面視において第２床パン分割体３に重なる第１重なり部２６を有する。第２床パン分割体３は、第２隣接部３２１に、平面視において第１床パン分割体２に重なる第２重なり部３５を有する。第１重なり部２６と第２重なり部３５との間に水密部材５を有する。
【００８０】
第４の態様によれば、第１隣接部２４１及び第２隣接部３２１における水密性が確保しやすくなる。
【００８１】
第５の態様では、第１〜４のいずれかの態様との組み合わせにより実現される。第５の態様では、第１床パン分割体２の上面と第２床パン分割体３の上面との間の間隙を埋める目地材を有する。目地材がくさび部材８を兼ねる。
【００８２】
第５の態様によれば、第１隣接部２４１及び第２隣接部３２１における水密性がより一層確保しやすくなり、また、見栄えが向上する。
【００８３】
第６の態様では、第１〜第５のいずれかの態様との組み合わせにより実現される。第６の態様では、第１床パン分割体２及び第２床パン分割体３は、端縁部２４，３２のうち第１隣接部２４１及び第２隣接部３２１以外の部分２４２，３２２に、壁パネルを支持する壁パネル支持部６を有する。
【００８４】
第６の態様によれば、床パンに壁パネルを載置することが可能となる。
【００８５】
第７の態様では、第１〜第６のいずれかの態様との組み合わせにより実現される。第７の態様では、第１床パン分割体２と第２床パン分割体３の少なくとも一方は、端縁部２４，のうち第１隣接部２４１及び第２隣接部３２１以外の部分２４２，３２２に、ドアが載置されるドア載置部７を有する。
【００８６】
第７の態様によれば、床パンにドアを載置することが可能となる。
【００８７】
第８の態様では、第７の態様との組み合わせにより実現される。第８の態様では、ドア載置部７を構成する第１部分７Ａは、第１床パン分割体２の端縁部２４のうち第１隣接部２４１に隣接する部分に位置する。ドア載置部７を構成する第２部分７Ｂは、第２床パン分割体３の端縁部３２のうち第２隣接部３２１に隣接する部分に位置する。第１部分７Ａと第２部分７Ｂとが連続してドア載置部７を構成する。
【００８８】
第８の態様によれば、第１床パン分割体２と第２床パン分割体３の境界を跨いでドア載置部７を設けることが可能となる。
【符号の説明】
【００８９】
１    床パン
２    第１床パン分割体
２４  端縁部
２４１  第１隣接部
２４２  第１隣接部以外の部分
２６  第１重なり部
３    第２床パン分割体
３２  端縁部
３２１  第２隣接部
３２２  第２隣接部以外の部分
３５  第２重なり部
５    水密部材
６    壁パネル支持部
７    ドア載置部
７Ａ  第１部分
７Ｂ  第２部分
８    くさび部材
【図１】
2019131984.tif 000003
【図２】
2019131984.tif 000004
【図３】
2019131984.tif 000005
【図４】
2019131984.tif 000006
【図５】
2019131984.tif 000007
【図６】
2019131984.tif 000008
【図７】
2019131984.tif 000009
【図８】
2019131984.tif 000010
【図９】
2019131984.tif 000011
【図１０】
2019131984.tif 000012
【図１１】
2019131984.tif 000013
【図１２】
2019131984.tif 000014